(57)【要約】【課題】  溶融金属の拭き取り能力の耐久性を大幅に向上させた溶融金属ワイピング装置およびワイパーを提供する。【解決手段】  溶融金属浴槽から出てきた鋼帯を前記浴槽と略等しい雰囲気温度に保持しつつ通板する保持帯において、該保持帯の鋼帯出口に取り付けられガスシールされた箱体と、該箱体の内側で、鋼帯を上下から挟む一対の回動軸にワイパーが取り付けられたワイパー支持部と、該ワイパー支持部のワイパーを前記鋼帯に対し接触、離反させるようにしたワイパー昇降部と、前記回動軸を可撓継ぎ手を介して回動させるようにしたワイパー回動部とを備える。そして、前記ワイパーは、断面矩形本体、または、断面小判状もしくは楕円を持つ本体と、その表面に巻き付けられた耐熱性の拭き取り部材を備える。【選択図】        図４
2010090468.tif 000002
【特許請求の範囲】
【請求項１】
溶融金属浴槽から出てきた鋼帯を前記浴槽と略等しい雰囲気温度に保持しつつ通板する保持帯において、該保持帯の鋼帯出口に取り付けられガスシールされた箱体と、該箱体の内側で、鋼帯を上下から挟む一対の回動軸にワイパーが取り付けられたワイパー支持部と、該ワイパー支持部のワイパーを前記鋼帯に対し接触、離反させるようにしたワイパー昇降部と、前記回動軸を可撓継ぎ手を介して回動させるようにしたワイパー回動部とを備えた溶融金属ワイピング装置。
【請求項２】
前記ワイパー支持部において、前記鋼帯の幅方向に沿って長い板状本体と、該本体の両端に前記鋼帯の上面および下面に向かって突設されたブラケットと、これらのブラケット間に回動自在に支持された回動軸と、該回動軸に着脱自在に取り付けられたワイパーとを備え、前記ワイパー昇降部において、前記支持部本体の上面および下面から上向きおよび下向きに突設されたガイド棒と、該ガイド棒を摺動自在に案内させるように、箱体の上壁および下壁に上向きおよび下向きに突設されたガイド筒と、前記ガイド棒の上端を鋼帯の幅方向に連結する連結材と、該連結材と前記箱体の上壁との間に接続されたピストン・シリンダー機構とを備え、前記ワイパー回動部は、前記回動軸の一端部に対し間隔を存して、前記箱体の側面に設けられた軸受け部材と、該軸受け部材に回動自在に支持され、かつ、前記回動軸に対し軸線を平行かつ偏心させた駆動軸と、該駆動軸と前記回動軸との間に接続された可撓継ぎ手と、前記駆動軸に接続された駆動手段とを備えた請求項１記載の溶融金属ワイピング装置。
【請求項３】
前記ワイパー支持部において、前記、ブラケットは前記回動軸と共に箱体の前方から出し入れできるように、前記板状本体に固定された受け部に摺動自在に支持され、前記箱体の前壁に設けられた孔を開閉する蓋板が着脱自在に取り付けられた請求項２記載の溶融金属ワイピング装置。
【請求項４】
前記蓋板の内側には、前記ワイパーの昇降に際して、振れるのを阻止するように、前記ワイパーブラケットを案内する上下に長い板からなる前振れ止めが設けられ、これに対向して前記箱体の後壁に後振れ止めが設けられた請求項３記載の溶融金属ワイピング装置。
【請求項５】
前記ワイパーは断面矩形本体と、その表面に巻き付けられた耐熱性の拭き取り部材を備え、前記矩形本体の矩形中心を貫通して前記回動軸に取り付けられた請求項１または２記載の溶融金属ワイピング装置。
【請求項６】
前記ワイパーは、断面小判状または楕円を持つ本体と、その表面に巻き付けられた耐熱性の拭き取り部材を備え、前記本体の断面形中心を貫通して前記回動軸に取り付けられた請求項１または２記載の溶融金属ワイピング装置。
【請求項７】
断面矩形本体と、その表面に巻き付けられた耐熱性の拭き取り部材を備え、前記拭き取り部材は紐状体からなり、前記本体の軸線に対し斜めに巻き付けられたワイパー。
【請求項８】
断面楕円の本体と、その表面に巻き付けられた耐熱性の拭き取り部材を備え、前記拭き取り部材は紐状体からなり、前記本体の軸線に対し斜めに巻き付けられたワイパー。
【発明の詳細な説明】
【技術分野】
【０００１】
本発明は、鋼帯に付着した溶融金属を除去する溶融金属ワイピング装置およびワイパーに関する。
【背景技術】
【０００２】
従来より、加熱帯と、溶融金属浴を備えた急冷帯と、前記溶融金属浴の浴温に略等しい雰囲気温度に保持された保持帯とを、この順に連接されてなる熱処理炉において、鋼帯を連続的に通板して熱処理を施す恒温熱処理が行われる。そして、溶融金属浴から出た鋼帯に付着した溶融金属を除去する技術として、次のようなものがあった。
【０００３】
従来の第１例では、鋼帯を上下からパッド（ＳＵＳフェルト，カーボンファイバー等からなる）で挟み込むものがあった。また、第２例では、鋼帯を上下からワイヤーブラシで挟み込むものがあった（特許文献１）。なお、参考文献として、特許文献２，３がある。
【０００４】
【特許文献１】特開２００５−１２０４５４
【特許文献２】特願昭５７−２０３７２３号
【特許文献３】特開２０００−０２４７１１
【発明の開示】
【発明が解決しようとする課題】
【０００５】
しかしながら、第１例では、使用していくうちに鋼帯との接触面が磨耗して、その部分に凹部による段差ができ、パッドを押さえても鋼帯に接触しなくなる。このため、溶融金属の拭き取り能力が低下してくる。そして、パッドは１面しか使えないので、パッド自体を交換しなければならない。
【０００６】
また第２例では、ワイヤーブラシの線材の隙間に毛細管現象で溶融金属が入り込み、徐々に溶融金属の拭き取り能力が低下してくる。
【０００７】
本発明は上記課題を解決し、溶融金属の拭き取り能力の耐久性を大幅に向上させた熱処理炉内の溶融金属ワイピング装置およびワイパーを提供することを目的とする。
【課題を解決するための手段】
【０００８】
本発明の課題解決手段は、溶融金属浴槽から出てきた鋼帯を前記浴槽と略等しい雰囲気温度に保持しつつ通板する保持帯において、該保持帯の鋼帯出口に取り付けられガスシールされた箱体と、該箱体の内側で、鋼帯を上下から挟む一対の回動軸にワイパーが取り付けられたワイパー支持部と、該ワイパー支持部のワイパーを前記鋼帯に対し接触、離反させるようにしたワイパー昇降部と、前記回動軸を可撓継ぎ手を介して回動させるようにしたワイパー回動部とを備える。
【０００９】
そして、前記ワイパー支持部において、前記鋼帯の幅方向に沿って長い板状本体と、該本体の両端に前記鋼帯の上面および下面に向かって突設されたブラケットと、これらのブラケット間に回動自在に支持された回動軸と、該回動軸に着脱自在に取り付けられたワイパーとを備える。
【００１０】
前記ワイパー昇降部において、前記支持部本体の上面および下面から上向きおよび下向きに突設されたガイド棒と、該ガイド棒を摺動自在に案内させるように、箱体の上壁および下壁に上向きおよび下向きに突設されたガイド筒と、前記ガイド棒の上端を鋼帯の幅方向に連結する連結材と、該連結材と前記箱体の上壁との間に接続されたピストン・シリンダー機構とを備える。
【００１１】
前記ワイパー回動部は、前記回動軸の一端部に対し間隔を存して、前記箱体の側面に設けられた軸受け部材と、該軸受け部材に回動自在に支持され、かつ、前記回動軸に対し軸線を平行かつ偏心させた駆動軸と、該駆動軸と前記回動軸との間に接続された可撓継ぎ手と、前記駆動軸に接続された駆動手段とを備える。
【００１２】
前記ワイパー支持部において、前記、ブラケットは前記回動軸と共に箱体の前方から出し入れできるように、前記板状本体に固定された受け部に摺動自在に支持され、前記箱体の前壁に設けられた孔を開閉する蓋板が着脱自在に取り付けられている。
【００１３】
前記蓋板の内側には、前記ワイパーの昇降に際して、振れるのを阻止するように、前記ワイパーブラケットを案内する上下に長い板からなる前振れ止めが設けられ、これに対向して前記箱体の後壁に後振れ止めが設けられている。
【００１４】
前記ワイパーは断面矩形本体と、その表面に巻き付けられた耐熱性の拭き取り部材を備え、前記矩形本体の矩形中心を貫通して前記回動軸に取り付けられた場合がある。また、前記ワイパーは、断面小判状または楕円を持つ本体と、その表面に巻き付けられた耐熱性の拭き取り部材を備え、前記本体の断面形中心を貫通して前記回動軸に取り付けられた場合がある。
【００１５】
また、本発明のワイパーの一つは、断面矩形本体と、その表面に巻き付けられた耐熱性の拭き取り部材を備え、前記拭き取り部材は紐状体からなり、前記本体の軸線に対し斜めに巻き付けられたものである。また、本発明のワイパーのもう一つは、断面楕円の本体と、その表面に巻き付けられた耐熱性の拭き取り部材を備え、前記拭き取り部材は紐状体からなり、前記本体の軸線に対し斜めに巻き付けられたものである。
【発明の効果】
【００１６】
本発明により、熱処理炉内の溶融金属のワイピング装置において、拭き取り能力の耐久性を大幅に向上させることが可能となった。
【発明を実施するための最良の形態】
【００１７】
以下に本発明の実施形態を図面に示す一実施例に基づき説明する。
図１，２，３において、保持帯Bは鉛，ビスマス他を含む溶融金属の浴槽（図示省略）から出てきた鋼帯Aを、前記浴槽と略等しい雰囲気湿度に保持しつつ徐冷しながら矢視方向へ送るようにしたものである。該保持帯の鋼帯出口にはガスシールされた箱体２０が取り付けられ、この中に本発明に係わる溶融金属ワイピング装置が設けられる。
【００１８】
即ち、鋼帯Ａを上下から挟む一対の回動軸３３にワイパー１０が取り付けられたワイパー支持部３０と、該ワイパー支持部のワイパー１０を前記鋼帯に対し接触、離反させるようにしたワイパー昇降部４０と、前記回動軸３３を可撓継ぎ手５３を介して回動させるようにしたワイパー回動部５０とを備える。
【００１９】
図３，４で、箱体２０は直方体状を呈し、鋼帯を囲むように、鋼帯の進行方向の前方に前壁２１、後方に後壁２２を有し、これらには鋼帯が通過する孔２１ａ，２２ａが設けられる。また、鋼帯の両縁に対し幅方向に間隔を存して直角に左右側壁２３，２４、鋼帯の上面および下面と平行な上壁２５および下壁２６を有する。
【００２０】
図４，５，６で前記ワイパー支持部３０において、前記鋼帯の幅方向に沿って長い板状本体３１の両端にブラケット３２が前記鋼帯の上面および下面に向かって突設される。これらのブラケット間に回動軸３３が回動自在に支持され、該回動軸にワイパー１０が着脱自在に取り付けられている。ここで、ブラケット３２は回動軸３３と共に箱体２０の前方から出し入れできるように、板状本体３１に固定された受け部３４に摺動自在に支持されている。
【００２１】
前記ワイパー昇降部４０において、前記支持部本体３１の上面および下面から上向きおよび下向きにガイド棒４１が突設され、該ガイド棒を摺動自在に案内させるように、ガイド筒４２が箱体の上壁２５および下壁２６に上向きおよび下向きに突設される。前記ガイド棒４１の上端は鋼帯の幅方向に連結材４３で連結され、該連結材と前記箱体上壁２５との間にピストン・シリンダー機構４４が接続される。ここで、箱体上壁２５の上面および下面から舌片４５が突設され、これにピン４６を介してピストン・シリンダー機構４４のピストン棒の下端が結合される。
【００２２】
前記ワイパー回動部５０において、前記回動軸３３の一端部に対し間隔を存して、前記箱体の右壁２４の外側面に軸受け部材５１が設けられる。該軸受け部材に駆動軸５２が回動自在に支持され、前記回動軸３３に対し軸線を平行かつ偏心している。該駆動軸と前記回動軸との間に可撓継ぎ手５３が接続され、前記駆動軸に駆動手段５４が接続される。ここで、駆動手段として、駆動軸５２に固定されたウォームホイール５４ｂと、これにかみ合うウォーム５４ｃと、ウォームを回転させるハンドル５４ａとからなる。また、可撓継ぎ手５３として、ワイパーの回動軸３３と駆動軸５２の各端部に接続されたユニバーサルジョイント５３ａと、両ユニバーサルジョイントの間の連結材５３ｂとからなる。
【００２３】
また、箱体前壁２１の孔を開閉する蓋板１がボルトで着脱自在に取り付けられる。そして、蓋板の内側に前記ワイパー１０の昇降に際して、振れるのを阻止するように、ワイパーブラケット３２を案内する上下に長い板からなる前振れ止め２が設けられる。これに対向して後振れ止め３が設けられる。蓋板１の前面には前シール４、箱体後壁２２の後側に後シール５が設けられる。
【００２４】
図７，８において、前記回動棒３３にワイパー１０が取り付けられて、鋼帯Ａの上面および下面に接触して溶融金属を拭き取る。前記ワイパー１０は、矩形（正方形）筒本体１１と、その表面に巻き付けられた耐熱性のフェルト状体または紐状体１２を備え、前記円筒本体端版１１ｃの円中心にある中心孔１１ｄを貫通して前記回動棒３３に取り付けられる。そして、前記紐状体１２ａは前記ワイパー本体の軸線に対し斜めに巻き付けられている。図９のように、フェルト状体１２ｂは前記ワイパー本体の軸線に対し鉢巻状に巻き付けられてもよい。
【００２５】
ここで、前記耐熱性の紐状体１２ａとして、耐熱金属線補強膨張黒鉛編組パッキン材が使用される。これはインコネル線で補強した膨張黒鉛のヤーンを断面角形に八編したものである。膨張黒鉛は耐熱性、耐化学薬品性、自己潤滑性、不浸透性に優れ、弾性に富む素材である。この部材として例えば、ニチアス株式会社（住所：東京都港区芝大門１−１−２６）の製品のうち、[T／♯2280Ｓ]耐熱金属線補強膨張黒鉛編組パッキンが使用される。
【００２６】
以上において使用状態を説明する。ワイパー１０が磨耗してきたら、ピストン・シリンダー機構４４を作動させて、板状本体３１、回動軸３３およびワイパー１０の組の上側のものを上昇させ、下側のものを下降させる。つぎにハンドル５４ａを操作して回動軸３３を回し、ワイパー１０の未磨耗部の面鋼帯に対向させ、次いで、ピストン・シリンダー機構４４を逆に作動させて、上側ワイパーを下降、下側ワイパーを上昇させ、再び鋼帯に接触させる。このようにして、ワイパーの全面を使用することが出来る。この結果、全体的な耐久性が大幅に向上することになる。
【００２７】
また、ワイパーを新しいものと交換するとき、蓋板１を取り外し、ブラケット３２、回動軸３３およびワイパー１０を一体として箱体２０の前方から出す。そして、回動軸３３からブラケット３２とワイパー１０を抜き取り、新しいワイパーを回動軸３３にはめ込み、ブラケット３２を挿入する。その後、再び箱体２０の前方から内側に入れ、板状本体３１の受け部３４に摺動自在に支持させる。その後、蓋板１を箱体に取り付け、作業を再開する。
【００２８】
さてここで、図１３において、回動軸３３が鋼帯送り方向に直角であり、紐体１２ａが回動軸直角方向(鋼帯送り方向)に傾斜角ｍで巻かれている。上側ワイパーの上側から見た状態で、紐体の隙間による溝は実線示で右側に角度ｍで傾斜し、鋼帯側では点線示で左側に角度ｍで傾斜している。
【００２９】
図１４において、隙間（溝）の鋼帯送り方向に沿う長さＬは，傾斜角ｍが増加するに従い短くなる。従って、溶融金属が入り込む機会が少なくなる。また、隙間の入口隅角で溶融金属が方向転換して鋼帯の一方端側（図示左方）へ寄せられ、鋼帯端部から落下して除去される。
【００３０】
図９のように、前記拭き取り部材１２として、フェルト状体１２ｂが前記ワイパー本体の外周に鉢巻状に巻き付けられたものでもよい。そして、フェルト状体として、ＳＵＳフェルト（ステンレス繊維をフェルト状にしたもの），カーボンファイバー等からなるカーペット状，布状体に展延したものが使用される。
【００３１】
また図１０，１１に示すものは、前記ワイパーの断面が小判状のものである。本体１１は、対向する一対の平面部１１ａと対向する一対の半円筒面部１１ｂを持つ。小判状の端板１１ｃに一対の矩形板と一対の半円筒体が固定されたものである。そして、その表面に耐熱性の拭き取り部材１２として、紐状体１２ａが、ワイパー本体の軸線に対し斜めに巻きつけられ、両端付近において、ワイヤ13で巻きつけ固定されている。そして、前記小判状の端板１１ｃの中心にある中心孔１１ｄを貫通して前記回動棒３３に取り付けられる。
【００３２】
図１２のように、前記拭き取り部材１２として、フェルト状体１２ｂが前記ワイパー本体の外周に鉢巻状に巻き付けられたものでもよい。また、断面は小判状の本体１１に代えて、長軸と短軸をもつ楕円でもよい（図示省略）。
【００３３】
ここで、半円筒面部１１ｂが接触しているときは、線接触に近い状態であるが、平面部１１との境界部に近くなれば接触面積が増加する。更に、平面部１１のみを接触させれば、接触面積が大幅に増加し、それだけ拭き取り能力が向上する。また、回動軸３３を回動させてワイパーの全面を使えば、全体的な耐久性が大幅に向上することになる。
【００３４】
このように、ワイパーが磨耗してきたときに、ワイパーを回動させて未磨耗部を使うことができる。耐熱性のＳＵＳフェルト，カーボンファイバー等などを使用しているので、溶融金属に対する漏れ性が悪く、毛細管現象が起り難く、溶融金属の除去能力が長持ちする。また、膨張黒鉛を含む材料を使うと、耐熱性，耐摩耗性，溶融金属の浸透性の点で優れている。
【００３５】
本発明は前記した実施例や実施態様に限定されず、特許請求の範囲および範囲を逸脱せずに種々の変形を含む。
【産業上の利用可能性】
【００３６】
本発明は、熱処理炉内の溶融金属ワイピング装置およびワイパーに利用される。
【図面の簡単な説明】
【００３７】
【図１】本発明の一実施例の正面図である。
【図２】図２の左側面図である。
【図３】図２の平面図である。
【図４】図２のＹ４−Ｙ４断面図である。
【図５】図１のＹ５−Ｙ５断面要部図である。
【図６】図２のＸ６−Ｘ６断面図である。
【図７】ワイパーの実施例の要部正面図である
【図８】図７の要部平面図である。
【図９】図８に代る他の実施例の要部平面図である。
【図１０】ワイパーの他の実施例の要部正面図である
【図１１】図１０の要部平面図である。
【図１２】図１１に代る他の実施例の要部平面図である。
【図１３】図８に対応した紐体の巻き付け角の説明平面図である。
【図１４】図８に対応した紐体の巻き付け角の説明平面図である。
【符号の説明】
【００３８】
Ａ  鋼帯
Ｂ  保持帯
１  蓋板
２  前振れ止め
３  後振れ止め
４  前シール
５  後シール
１０  ワイパー
１１  本体
１１ａ  平面部
１１ｂ  半円筒面部
１１ｃ  端板
１１ｄ  中心孔
１２  拭き取り部材
１２ａ  紐状体
１２ｂ  フェルト状体
１３  ワイヤ
２０  箱体
２１  前壁
２２  後壁
２３  左壁
２４  右壁
２５  上壁
２６  下壁
３０  ワイパー支持部
３１  本体
３２  ブラケット
３３  回動軸
３４受け部
４０  ワイパー昇降部
４１  ガイド棒
４２  ガイド筒
４３  連結材
４４  ピストン・シリンダー機構
４５  舌片
４６  ピン
５０  ワイパー回動部
５１  軸受け部材
５２  駆動軸
５３  可撓継ぎ手
５４  駆動手段
５４a  ハンドル
５４b  ウォームホイール
５４c  ウォーム
【図１】
2010090468.tif 000003
【図２】
2010090468.tif 000004
【図３】
2010090468.tif 000005
【図４】
2010090468.tif 000006
【図５】
2010090468.tif 000007
【図６】
2010090468.tif 000008
【図７】
2010090468.tif 000009
【図８】
2010090468.tif 000010
【図９】
2010090468.tif 000011
【図１０】
2010090468.tif 000012
【図１１】
2010090468.tif 000013
【図１２】
2010090468.tif 000014
【図１３】
2010090468.tif 000015
【図１４】
2010090468.tif 000016